(57)【要約】【課題】  内燃機関のクランク軸の軸方向における寸法を、よりコンパクトにできるようにすると共に、上記内燃機関の構成を簡単にさせる。【解決手段】  内燃機関１１は、クランクケース２０に支持されるクランク軸２８と、クランクケース２０の外側面をその外方から開閉可能に覆うケースカバー２２と、クランクケース２０とケースカバー２２との間の内部空間２５に収容されてクランク軸２８に連動連結されるフライホイールマグネト５７とを備える。クランク軸２８の径方向の外方で、クランク軸２８と平行な軸心５４上にフライホイールマグネト５７が配置される。フライホイールマグネト５７のステータ５９がケースカバー２２に取り付けられる。【選択図】  図１
2006250094.tif 000002
【特許請求の範囲】
【請求項１】
クランクケースに支持されるクランク軸と、上記クランクケースの外側面をその外方から開閉可能に覆うケースカバーと、上記クランクケースとケースカバーとの間の内部空間に収容されて上記クランク軸に連動連結されるフライホイールマグネトとを備えた内燃機関において、
上記クランク軸の径方向の外方で、上記クランク軸と平行な軸心上に上記フライホイールマグネトを配置し、
上記フライホイールマグネトのステータを上記ケースカバーに取り付けたことを特徴とする内燃機関。
【請求項２】
上記フライホイールマグネトのロータが上記軸心回り回転可能となるよう、上記ロータを上記クランクケースとケースカバーとに両端支持させたことを特徴とする請求項１に記載の内燃機関。
【請求項３】
上記フライホイールマグネトの軸心上における上記ケースカバーの部分に貫通孔を形成し、このケースカバーの外部から上記貫通孔を通し、上記ロータを上記クランクケース側に向けて押圧可能としたことを特徴とする請求項２に記載の内燃機関。
【発明の詳細な説明】
【技術分野】
【０００１】
本発明は、クランク軸に連動連結されるフライホイールマグネトを備えた内燃機関に関するものである。
【背景技術】
【０００２】
上記内燃機関には、従来、下記特許文献１に示されるものがある。この公報のものによれば、車両の車体後部に内燃機関が搭載されている。
【０００３】
上記内燃機関は、上記車体の後部に支持されたクランクケースと、車両の長手方向に延びる軸心回りに回転可能となるよう上記クランクケースに支持されるクランク軸と、上記クランクケースの外側面をその外方から開閉可能に覆うケースカバーと、上記クランクケースとケースカバーとの間の内部空間に収容されて上記クランク軸に連動連結されるフライホイールマグネトとを備えている。このフライホイールマグネトは、上記クランクケースの外側面にブラケットにより支持される詳図されていないステータと、上記クランク軸と軸方向で列設され上記クランク軸の一端部に連結されるロータとを備えている。
【０００４】
上記内燃機関を駆動させると、上記クランク軸に上記ロータが連動して回転し、フライホイールマグネトが発電する。この発電による電力は、上記内燃機関における点火用等の電源とされ、これにより、上記内燃機関の駆動が続けられる。上記内燃機関から出力される駆動力は、上記クランク軸の他端部を通して走行用の駆動車輪に伝達され、車両が走行可能とされる。
【０００５】
【特許文献１】特開平２−１０９７２７号公報
【発明の開示】
【発明が解決しようとする課題】
【０００６】
ところで、上記車両は余剰空間が狭いものである。このため、上記内燃機関には、上記クランク軸の軸方向における寸法を小さくすることが望まれる。しかし、上記従来の技術における内燃機関では上記クランク軸とフライホイールマグネトとはその軸方向で列設されている。このため、上記内燃機関は、そのクランク軸の軸方向における寸法が大きくなりがちである。よって、上記内燃機関は、例えば、余剰空間が小さい車両に搭載させる上で、好ましくない。
【０００７】
また、上記ステータを支持するブラケットは、上記クランクケースやケースカバーとは別体として設けられている。このため、上記内燃機関の部品点数が多くなって、この内燃機関の構成が複雑となりがちである。
【課題を解決するための手段】
【０００８】
本発明は、上記のような事情に注目してなされたもので、本発明の目的は、内燃機関のクランク軸の軸方向における寸法を、より小さくして、この内燃機関をコンパクトにできるようにすると共に、上記内燃機関の構成を簡単にさせることである。
【０００９】
また、本発明の他の目的は、上記目的を達成する内燃機関の組み立て作業が容易にできるようにすることである。
【００１０】
請求項１の発明は、クランクケース２０に支持されるクランク軸２８と、上記クランクケース２０の外側面をその外方から開閉可能に覆うケースカバー２２と、上記クランクケース２０とケースカバー２２との間の内部空間２５に収容されて上記クランク軸２８に連動連結されるフライホイールマグネト５７とを備えた内燃機関において、
上記クランク軸２８の径方向の外方で、上記クランク軸２８と平行な軸心５４上に上記フライホイールマグネト５７を配置し、
上記フライホイールマグネト５７のステータ５９を上記ケースカバー２２に取り付けたものである。
【００１１】
請求項２の発明は、請求項１の発明に加えて、上記フライホイールマグネト５７のロータ６１が上記軸心５４回り回転可能となるよう、上記ロータ６１を上記クランクケース２０とケースカバー２２とに両端支持させたものである。
【００１２】
請求項３の発明は、請求項２の発明に加えて、上記フライホイールマグネト５７の軸心５４上における上記ケースカバー２２の部分に貫通孔１０６を形成し、このケースカバー２２の外部から上記貫通孔１０６を通し、上記ロータ６１を上記クランクケース２０側に向けて押圧可能としたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、クランクケースに支持されるクランク軸と、上記クランクケースの外側面をその外方から開閉可能に覆うケースカバーと、上記クランクケースとケースカバーとの間の内部空間に収容されて上記クランク軸に連動連結されるフライホイールマグネトとを備えた内燃機関において、
上記クランク軸の径方向の外方で、上記クランク軸と平行な軸心上に上記フライホイールマグネトを配置している。
【００１６】
このため、クランク軸とフライホイールマグネトとをその軸方向で列設させていた従来の技術の内燃機関に比べて、クランク軸の軸方向における内燃機関の寸法を、より小さくでき、つまり、この内燃機関をそのクランク軸の軸方向でコンパクトにできる。よって、特に、上記した車体の幅方向が狭いレーシングカーなどの車両において、その車体の幅方向にクランク軸の軸方向を合致させるよう内燃機関を搭載する場合に、この搭載が容易にできて有益である。
【００１７】
また、上記フライホイールマグネトのステータを上記ケースカバーに取り付けている。
【００１８】
このため、上記ステータの支持のためにケースカバーが利用されている。よって、上記ステータの支持のために別途のブラケットが不要である分、上記内燃機関の部品点数を少なくでき、この内燃機関の構成を簡単にできる。
【００１９】
請求項２の発明は、上記フライホイールマグネト５７のロータ６１が上記軸心５４回り回転可能となるよう、上記ロータを上記クランクケースとケースカバーとに両端支持させている。
【００２０】
このため、上記ロータの支持強度が向上する。よって、例えば、上記内燃機関を車両に搭載した場合に、その走行時の振動等に対する内燃機関の耐久性が向上する。
【００２１】
請求項３の発明は、上記フライホイールマグネト５７の軸心５４上における上記ケースカバーの部分に貫通孔を形成し、このケースカバーの外部から上記貫通孔を通し、上記ロータを上記クランクケース側に向けて押圧可能としている。
【００２２】
ここで、上記内燃機関の組み立て作業において、上記クランクケースに対しフライホイールマグネトとケースカバーとを順次組み付ける作業につき説明する。
【００２３】
即ち、まず、上記ロータを上記クランクケースに片持ち支持状に組み付ける。一方、上記ケースカバーにステータを組み付ける。次に、上記クランクケースにケースカバーを組み付ける。
【００２４】
上記したクランクケースへのケースカバーの組み付けにより、上記ロータにステータが対向する。また、これと共に、上記ロータの自由端部が上記ケースカバーに支持される。すると、上記クランクケースに対するフライホイールマグネトとケースカバーとの組み付け作業が終わる。
【００２５】
ところで、上記クランクケースへのケースカバーの組み付けの途中では、上記クランクケースに組み付けられているロータに対し、上記ケースカバーに組み付けられているステータが徐々に接近する。すると、上記ロータの磁石が上記ステータを吸引し、その反力により、上記ロータは、上記クランクケースから引き抜かれようとする。この作用により、仮に、このクランクケースに対し上記ロータが不意に相対移動したとする。すると、上記内燃機関の円滑な組み立て作業が阻害されて、この組み立て作業が煩雑になるおそれがある。
【００２６】
そこで、前記したようにケースカバーに貫通孔を形成している。
【００２７】
このため、上記クランクケースへのケースカバーの組み付けの際には、上記貫通孔に例えば治具を嵌入させて、この治具を介して上記ロータを上記クランクケース側に押圧する。すると、上記ロータの磁石が上記ステータを吸引しようとしても、上記ロータが上記クランクケースに対し相対移動しようとすることは防止される。よって、上記内燃機関の組み立て作業が容易にできる。
【発明を実施するための最良の形態】
【００２８】
本発明の内燃機関に関し、内燃機関のクランク軸の軸方向における寸法を、よりコンパクトにできるようにすると共に、上記内燃機関の構成を簡単にさせる、という目的を実現するため、本発明を実施するための最良の形態は、次の如くである。
【００２９】
即ち、内燃機関は、クランクケースに支持されるクランク軸と、上記クランクケースの外側面をその外方から開閉可能に覆うケースカバーと、上記クランクケースとケースカバーとの間の内部空間に収容されて上記クランク軸に連動連結されるフライホイールマグネトとを備えている。上記クランク軸の径方向の外方で、上記クランク軸と平行な軸心上に上記フライホイールマグネトが配置される。また、上記フライホイールマグネトのステータが上記ケースカバーに取り付けられる。
【実施例１】
【００３０】
本発明をより詳細に説明するために、その実施例１を添付の図１−５に従って説明する。
【００３１】
図２，３において、符号１は、レーシングカートとして例示される車両で、矢印Ｆｒは、この車両１の進行方向の前方を示している。また、下記する左右とは、上記前方に向かっての車両１の幅方向をいうものとする。
【００３２】
上記車両１の車体２は、その骨格を構成する車体フレーム３と、この車体フレーム３の前部に操向可能に懸架される左右一対の前車輪４と、上記車体フレーム３の後部に懸架される左右一対の後車輪５と、上記車両１の長手方向で上記車体２の中途部に支持されるシート６と、上記車体フレーム３の前部に支持され、各前車輪４と連動連結されるハンドル７と、上記シート６の外側方に配置されて上記車体フレーム３に支持される左右一対のフートレスト８とを備えている。
【００３３】
上記車両１は、上記シート６と右側のフートレスト８との間に配置されて、上記各後車輪５を走行駆動させる内燃機関１１と、この内燃機関１１に大気側の空気１２と燃料１３とによる混合気を供給可能とする吸気装置１４と、上記内燃機関１１から排出される排気１５を内燃機関１１の外部に導出させる排気装置１６とを備えている。上記内燃機関１１はリード弁式の２サイクル単気筒エンジンである。
【００３４】
全図において、上記内燃機関１１の静止側部材１９は、上記車体フレーム３に支持されるクランクケース２０と、このクランクケース２０から上方に突出するシリンダ２１と、上記クランクケース２０の左側の側面を全体的に開閉可能に覆うケースカバー２２とを備えている。上記クランクケース２０の内部がクランク室２４とされ、上記クランクケース２０とケースカバー２２との間には密閉された内部空間２５が形成されている。上記クランクケース２０に対しケースカバー２２は締結具により着脱可能に固着されている。
【００３５】
軸心２７が車両１の幅方向に延びるクランク軸２８が上記軸心２７回りに回転可能となるよう上記クランクケース２０に支持されている。上記シリンダ２１にはピストン２９が摺動可能に嵌入され、上記クランク軸２８とピストン２９とは連接棒３０により互いに連動連結されている。上記クランク軸２８は、上記クランクケース２０に軸受３２により支持される左右一対のクランク主軸３３，３４と、上記クランク室２４に内有され、上記各クランク主軸３３，３４に一体的に形成される左右一対のクランクアーム３５と、これら両クランクアーム３５に架設されて上記連接棒３０の大端部に連結されるクランクピン３６とを備えている。
【００３６】
上記シリンダ２１の突出端部と上記ピストン２９とで囲まれた空間が燃焼室３８とされる。上記クランクケース２０の前部には、上記クランク室２４の内外を連通させる吸気通路３９が形成されている。この吸気通路３９は、上記車両１の長手方向、かつ、ほぼ水平方向に延びている。上記吸気通路３９に嵌入されて上記クランクケース２０の前部に取り付けられるリード弁４０が設けられている。上記クランク室２４を上記燃焼室３８に連通させる掃気通路４１がクランクケース２０に形成されている。また、上記燃焼室３８をシリンダ２１の外部に連通させる排気通路４２が上記シリンダ２１に形成されている。
【００３７】
上記吸気装置１４は、上記クランクケース２０の前部に連結され、上記吸気通路３９と連通する気化器４４と、この気化器４４に連結される吸気サイレンサ４５とを備えている。一方、上記排気装置１６は、上記シリンダ２１の後部に連結され、上記排気通路４２と連通する排気管４６と、この排気管４６に順次連結される排気管マフラ４７と排気サイレンサ４８とを備えている。また、上記シリンダ２１の突出端部には点火プラグ５０が取り付けられている。
【００３８】
上記クランク軸２８と平行に延び、このクランク軸２８の径方向の外方に配置される従動軸５３が設けられている。この従動軸５３は、その軸心５４回りに回転可能となるよう一対の軸受５５により上記静止側部材１９のクランクケース２０とケースカバー２２とに跨って支持されている。
【００３９】
上記内部空間２５に収容され、上記従動軸５３の軸心５４上に配置されるフライホイールマグネト５７が設けられている。このフライホイールマグネト５７は、上記ケースカバー２２に締結具５８により直接支持されるステータ５９と、上記従動軸５３にキー６０により固定されて上記軸心５４回りにこの従動軸５３と共に回転可能とされる椀形状のロータ６１とを備えている。上記ステータ５９はコイルで構成されている。上記ロータ６１は、上記従動軸５３により上記クランクケース２０とケースカバー２２とに跨って両端支持され、磁石６２を備えている。上記ステータ５９はロータ６１に嵌入されて、互いに対向している。
【００４０】
上記クランク軸２８の一端部である一方のクランク主軸３３に上記従動軸５３を介しフライホイールマグネト５７のロータ６１を連動連結させる連動装置６３が設けられている。この連動装置６３は上記内部空間２５に収容されている。上記連動装置６３は、上記クランク主軸３３にキー６４により固定される駆動ギヤ６５と、上記従動軸５３に一体的に形成されて上記駆動ギヤ６５と噛合する従動ギヤ６６とを備えている。これら駆動ギヤ６５と従動ギヤ６６とはモジュールと歯数とが互いに同じとされている。上記クランク軸２８の軸方向に沿った視線で見て（図４）、上記クランク軸２８とフライホイールマグネト５７とのそれぞれ少なくとも一部分が互いに重なり合うこととされている。
【００４１】
上記ロータ６１の外周面には、その周方向の一部に突起６７が形成されている。また、この突起６７に対向してパルサコイル６８が設けられ、このパルサコイル６８は上記ケースカバー２２に固着されている。
【００４２】
上記排気通路４２の燃焼室３８側の開口における上縁部の高さを可変とする公知の排気制御弁６９が設けられている。また、上記内部空間２５に収容され、上記静止側部材１９のクランクケース２０とケースカバー２２とに跨るように支持される補機７０が設けられている。この補機７０は、上記排気１５が上記燃焼室３８側から排気通路４２を通って排出されるときのタイミングを可変とするよう上記排気制御弁６９を制御するガバナー装置である。上記補機７０は、上記クランク軸２８の径方向の外方に配置されている。また、上記フライホイールマグネト５７と補機７０とは、上記クランク軸２８の周方向で互いに偏位させられている。
【００４３】
上記補機７０は、上記クランク軸２８と平行に延び、このクランク軸２８の径方向の外方に配置されるガバナー軸７１を備えている。このガバナー軸７１は、その軸心７２回りに回転可能となるよう軸受７３により上記静止側部材１９のクランクケース２０とケースカバー２２とに跨って支持されている。
【００４４】
上記補機７０は、上記内部空間２５に収容され、上記ガバナー軸７１の軸心７２上に配置されてこのガバナー軸７１に固着される円錐筒形状の回転体７４と、この回転体７４内に嵌入される球形状の重り７５と、上記ガバナー軸７１の軸方向に移動可能となるようこのガバナー軸７１に支持される可動体７６と、この可動体７６を介し上記重り７５を上記回転体７４の内面に圧接させるばね７７とを備えている。前記排気制御弁６９は上記可動体７６に回動アームなどの連動体により連動連結されている。
【００４５】
上記クランク軸２８の一端部である一方のクランク主軸３３に上記ガバナー軸７１を連動連結させる他の連動装置７９が設けられている。この連動装置７９は上記内部空間２５に収容されている。上記連動装置７９は、前記駆動ギヤ６５と、上記ガバナー軸７１に固着されて上記駆動ギヤ６５と噛合する従動ギヤ８０とを備えている。
【００４６】
上記クランク軸２８の径方向の外方で、このクランク軸２８と平行に延びる軸心８２上に配置される他の補機７０の例である水ポンプ８３が設けられている。この水ポンプ８３は、上記軸心８２上に配置されるポンプ軸８４と、このポンプ軸８４が上記軸心８２回りに回転可能となるよう上記ポンプ軸８４をクランクケース２０に支持させる左右一対の軸受８５と、これら軸受８５を上記ポンプ軸８４の軸方向の所定位置に位置決めする位置決め具８６と、上記ポンプ軸８４に固着され、上記クランクケース２０に形成されたポンプ室８７に嵌入されるロータ８８とを備えている。
【００４７】
上記フライホイールマグネト５７のロータ６１に上記水ポンプ８３を連動連結させる更に他の連動装置９１が設けられている。この連動装置９１は、前記従動ギヤ６６と、上記ポンプ軸８４に固着されて上記従動ギヤ６６と噛合する従動ギヤ９２とを備えている。
【００４８】
上記各連動装置６３，７９，９１は、上記クランク軸２８の軸方向で互いにほぼ同じところに配置されている。そして、上記各連動装置６３，７９，９１の一側方に上記クランク軸２８のクランクアーム３５と水ポンプ８３のロータ８８とが配置されている。この場合、上記クランク軸２８の軸方向で、上記クランク軸２８のクランクアーム３５と水ポンプ８３のロータ８８とは互いにほぼ同じところに配置されている。また、上記各連動装置６３，７９，９１の他側方に上記フライホイールマグネト５７と補機７０の回転体７４とが配置されている。
【００４９】
上記クランク軸２８の他端部である他方のクランク主軸３４が、上記内燃機関１１の出力部とされている。上記クランク軸２８の軸心２７上で、上記他方のクランク主軸３４に遠心クラッチ９４の駆動側部材９５が固着されている。また、上記クランク軸２８の軸心２７上で、このクランク軸２８のクランク主軸３４に上記遠心クラッチ９４の従動側部材９６が支持されている。この従動側部材９６は、上記軸心２７回りで、上記クランク軸２８と駆動側部材９５とに対し相対回転可能とされている。上記従動側部材９６に対し、上記後車輪５を連動連結させるチェーン巻掛式の連動装置９７が設けられている。
【００５０】
上記内部空間２５の内底部に潤滑油９９を溜める油溜め部１００が形成されている。上記更に他の連動装置９１の従動ギヤ９２の少なくとも下部が上記油溜め部１００内に配置され、上記潤滑油９９により油浴されている。
【００５１】
１０２は始動電動機であり、この始動電動機１０２に上記クランク軸２８が連動可能とされている。
【００５２】
上記フライホイールマグネト５７の軸心５４上における上記ケースカバー２２の部分に、上記内部空間２５の内外を連通させる貫通孔１０６が形成されている。この貫通孔１０６は円形孔で、この貫通孔１０６を上記ケースカバー２２の外部から開閉可能に閉じるキャップ１０７が設けられている。
【００５３】
上記ケースカバー２２の外部から上記貫通孔１０６に棒状の治具１０９が嵌入可能とされている。上記貫通孔１０６に治具１０９を嵌入すれば、この治具１０９により上記従動軸５３が上記クランクケース２０側に押圧可能とされている。また、上記従動軸５３への押圧により、この従動軸５３に固着された上記フライホイールマグネト５７が上記治具１０９により間接的に上記クランクケース２０側に押圧可能とされている。
【００５４】
ここで、上記内燃機関１１の組み立て作業において、上記クランクケース２０に対しフライホイールマグネト５７とケースカバー２２とを順次組み付ける作業につき説明する。
【００５５】
即ち、まず、上記ロータ６１を組み付けた従動軸５３のクランクケース２０側の一端部を、一方の軸受５５により上記クランクケース２０に片持ち支持状に組み付ける。一方、上記ケースカバー２２にステータ５９と他方の軸受５５とを組み付ける。次に、上記クランクケース２０にケースカバー２２を固着により組み付ける。
【００５６】
上記したクランクケース２０へのケースカバー２２の組み付けにより、上記ロータ６１にステータ５９が嵌入されて、これら５９，６１が互いに対向する。また、これと共に、上記従動軸５３の自由端部である他端部が上記他方の軸受５５に嵌合する。つまり、上記従動軸５３の他端部が上記軸受５５を介しケースカバー２２に支持される。すると、上記クランクケース２０に対するフライホイールマグネト５７とケースカバー２２との組み付け作業が終わる。
【００５７】
ところで、上記クランクケース２０へのケースカバー２２の組み付けの途中では、上記クランクケース２０に組み付けられているロータ６１に対し、上記ケースカバー２２に組み付けられているステータ５９が徐々に接近する。すると、上記ロータ６１の磁石６２が上記ステータ５９を吸引し、その反力により、上記ロータ６１は、上記クランクケース２０から引き抜かれようとする。この作用により、仮に、このクランクケース２０に対し上記ロータ６１が不意に相対移動したとする。すると、上記内燃機関１１の円滑な組み立て作業が阻害されて、この組み立て作業が煩雑になるおそれがある。
【００５８】
そこで、前記したように、フライホイールマグネト５７の軸心５４上における上記ケースカバー２２の部分に貫通孔１０６を形成し、このケースカバー２２の外部から上記貫通孔１０６を通し、上記ロータ６１を上記クランクケース２０側に向けて押圧可能としている。
【００５９】
このため、上記クランクケース２０へのケースカバー２２の組み付けの際には、上記貫通孔１０６に上記治具１０９を嵌入させて、この治具１０９と従動軸５３とを介して上記ロータ６１を上記クランクケース２０側に押圧する。すると、上記ロータ６１の磁石６２が上記ステータ５９を吸引しようとしても、上記ロータ６１が上記クランクケース２０に対し相対移動しようとすることは防止される。よって、上記内燃機関１１の組み立て作業が容易にできる。
【００６０】
上記内燃機関１１を駆動させる時には、まず、上記始動電動機１０２の駆動により上記クランク軸２８をクランキングする。すると、内燃機関１１の外部の空気１２が上記吸気装置１４、リード弁４０、および吸気通路３９を通ってクランク室２４に吸入される。また、この際、上記吸気装置１４の気化器４４により、上記空気１２に燃料１３が混入されて、混合気が生成され、この混合気が上記クランク室２４で予圧縮される。
【００６１】
次に、上記混合気が上記掃気通路４１を通り燃焼室３８に吸入され、ここで、上記点火プラグ５０により点火させられ、燃焼させられる。上記点火プラグ５０による点火のタイミングは、上記突起６７がパルサコイル６８に対向したときにこのパルサコイル６８が出力する出力信号に基づき定められる。上記燃焼により生じた燃焼ガスは、上記排気通路４２と排気装置１６とを通し排気１５として内燃機関１１の外部に排出される。
【００６２】
上記燃焼による熱エネルギーに基づき、上記クランク軸２８が一方向に回転Ａさせられて、動力が出力される。上記クランク軸２８に上記連動装置６３を介し上記従動軸５３とフライホイールマグネト５７とが連動して、上記軸心５４回りに回転Ｂさせられる。これにより、上記フライホイールマグネト５７が発電し、その電力は上記点火プラグ５０の放電や制御用等の電源とされる。この場合、クランク軸２８とフライホイールマグネト５７のロータ６１とは互いに逆回転Ａ，Ｂさせられる。
【００６３】
また、上記クランク軸２８に上記連動装置７９を介し上記補機７０のガバナー軸７１、回転体７４、および重り７５が連動して、上記軸心７２回りに回転Ｃさせられる。上記クランク軸２８が高速であれば、これに連動する上記重り７５の遠心力が大きくなり、上記ばね７７の付勢力に対抗して上記可動体７６が上記ガバナー軸７１の軸方向の一方向に移動させられる。上記クランク軸２８が低速であれば、これに連動する上記重り７５の遠心力が小さくなり、上記ばね７７の付勢力により上記可動体７６は上記一方向とは反対方向に移動させられる。上記した可動体７６の各移動に連動して、上記排気制御弁６９が制御され、排気１５についての前記タイミングが自動的に調整される。
【００６４】
上記クランク軸２８に上記連動装置６３，９１を介し上記水ポンプ８３が連動して、この水ポンプ８３のポンプ軸８４とロータ８８とが上記軸心８２回りに回転Ｄさせられる。これにより、上記ポンプ室８７から冷却水が吐出され、この冷却水は、上記内燃機関１１の各部を循環して冷却し、その後、空冷されて上記水ポンプ８３の吸入部に戻される。
【００６５】
上記連動装置９１の従動ギヤ９２は、上記油溜め部１００の潤滑油９９を掻き上げる。すると、この潤滑油９９は、上記従動ギヤ９２と順次噛合する従動ギヤ６６、駆動ギヤ６５、および従動ギヤ８０へと移送されて、これら各ギヤ６５，６６，８０，９２の各噛合部を潤滑する。
【００６６】
上記クランク軸２８が所定回数以上になれば、上記遠心クラッチ９４が接続動作する。すると、上記クランク軸２８からの駆動力は、上記遠心クラッチ９４と連動装置９７とを介し上記後車輪５に伝達され、車両１が走行可能とされる。
【００６７】
上記構成によれば、クランク軸２８の径方向の外方で、上記クランク軸２８と平行な軸心５４上に上記フライホイールマグネト５７を配置している。
【００６８】
このため、クランク軸とフライホイールマグネトとをその軸方向で列設させていた従来の技術の内燃機関に比べて、クランク軸２８の軸方向における内燃機関１１の寸法を、より小さくでき、つまり、この内燃機関１１をそのクランク軸２８の軸方向でコンパクトにできる。よって、特に、上記した車体２の幅方向が狭いレーシングカーなどの車両１において、その車体２の幅方向にクランク軸２８の軸方向を合致させるよう内燃機関１１を搭載する場合に、この搭載が容易にできて有益である。
【００６９】
また、前記したように、フライホイールマグネト５７のステータ５９を上記ケースカバー２２に取り付けている。
【００７０】
このため、上記ステータ５９の支持のためにケースカバー２２が利用されている。よって、上記ステータ５９の支持のために別途のブラケットが不要である分、上記内燃機関１１の部品点数を少なくでき、この内燃機関１１の構成を簡単にできる。
【００７１】
また、前記したように、フライホイールマグネト５７のロータ６１が上記軸心５４回り回転可能となるよう、上記ロータ６１を上記クランクケース２０とケースカバー２２とに跨るように両端支持させている。
【００７２】
このため、上記ロータ６１の支持強度が向上する。よって、上記内燃機関１１を車両１に搭載した場合に、その走行時の振動等に対する内燃機関１１の耐久性が向上する。
【００７３】
また、前記したように、クランク軸２８に連動連結される補機７０を備えた内燃機関において、
上記補機７０を上記クランク軸２８の径方向の外方に配置すると共に、上記クランク軸２８の周方向で上記フライホイールマグネト５７と補機７０とを互いに偏位させている。
【００７４】
このため、上記クランク軸２８にそれぞれ連動連結される上記フライホイールマグネト５７と補機７０とは、上記クランク軸２８の周りの空間に互いの干渉を避けて無理なく配置できる。よって、上記した三つの構成部品２８，５７，７０をコンパクトに配置でき、つまり、上記内燃機関１１をそのクランク軸２８の径方向でもコンパクトにできる。
【００７５】
また、前記したように、クランク軸２８の軸方向の一端部に上記フライホイールマグネト５７を連動連結し、上記クランク軸２８の他端部を内燃機関１１の出力部としている。
【００７６】
このため、上記フライホイールマグネト５７と、内燃機関１１の出力部側に設けられる遠心クラッチ９４および連動装置９７等の出力用構成部品とは、上記クランク軸２８の軸方向で左右に振り分けられる。よって、仮に、上記フライホイールマグネト５７と出力用構成部品とが上記クランク軸２８の軸方向の一端部側に集中配置されることに比べて、上記内燃機関１１を全体的にコンパクトにできる。
【００７７】
また、前記したように、クランク軸２８とフライホイールマグネト５７のロータ６１とが互いに逆回転Ａ，Ｂするようこれらを互いに連動連結している。
【００７８】
このため、上記クランク軸２８とフライホイールマグネト５７との各回転を互いに同期させ、かつ、このフライホイールマグネト５７にバランサ軸としての機能を持たせてやれば、上記クランク軸２８とフライホイールマグネト５７とのそれぞれの回転モーメントは互いに打ち消し合うこととなる。つまり、上記フライホイールマグネト５７を上記クランク軸２８の軸心２７から偏位させて、これら２８，５７を互いに逆回転Ａ，Ｂさせたことにより、上記内燃機関１１に生じようとする振動の発生が防止される。
【００７９】
また、前記したように、クランク軸２８の軸方向に沿った視線で見て、上記クランク軸２８とフライホイールマグネト５７とのそれぞれ少なくとも一部分が互いに重なり合うようにしている。
【００８０】
このため、上記クランク軸２８とフライホイールマグネト５７とは、それぞれの径方向で互いに接近することとなる。よって、上記内燃機関１１をそのクランク軸２８の径方向で、よりコンパクトにできる。
【００８１】
なお、以上は図示の例によるが、上記内燃機関１１は車両以外の乗り物に搭載されるものでもよく、産業機械などに用いられるものでもよい。また、内燃機関１１は４サイクル内燃機関でもよい。
【００８２】
以下の図６は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００８３】
本発明をより詳細に説明するために、その実施例２を添付の図６に従って説明する。
【００８４】
図６において、上記クランク軸２８と平行に延びるバランサ軸１０３がその軸心１０４回りに回転可能となるよう上記クランクケース２０に支持されている。上記バランサ軸１０３には従動ギヤ１０５が固着され、この従動ギヤ１０５は上記駆動ギヤ６５に噛合している。上記駆動ギヤ６５と従動ギヤ１０５とはモジュールと歯数とが互いに同じであり、互いに逆回転することとされている。
【００８５】
上記バランサ軸１０３と軸心１０４上に上記フライホイールマグネト５７が配置され、このフライホイールマグネト５７のロータ６１が上記バランサ軸１０３に固着されている。
【００８６】
上記構成によれば、フライホイールマグネト５７のロータ６１の回転用としてバランサ軸１０３が利用されている。よって、上記内燃機関１１をコンパクトにさせることが簡単な構成で達成される。
【００８７】
なお、この実施例２におけるケースカバー２２に、上記貫通孔１０６を形成してもよい。
【図面の簡単な説明】
【００８８】
【図１】実施例１を示し、図４の１−１線矢視の一側部断面図である。
【図２】実施例１を示し、車両の全体平面図である。
【図３】実施例１を示し、図２の３−３線矢視図である。
【図４】実施例１を示し、図３の部分拡大破断図である。
【図５】実施例１を示し、図４の５−５線矢視の他側部断面図である。
【図６】実施例２を示し、図１の一部に相当する図である。
【符号の説明】
【００８９】
１１  内燃機関
２０  クランクケース
２２  ケースカバー
２５  内部空間
２８  クランク軸
５３  従動軸
５４  軸心
５７  フライホイールマグネト
５９  ステータ
６１  ロータ
６２  磁石
１０６  貫通孔
１０９  治具
【図１】
2006250094.tif 000003
【図２】
2006250094.tif 000004
【図３】
2006250094.tif 000005
【図４】
2006250094.tif 000006
【図５】
2006250094.tif 000007
【図６】
2006250094.tif 000008